(57)【特許請求の範囲】
【請求項１】
左右のスピーカとこれら左右のスピーカのいずれか一方のスピーカからのみプラグ付き２平行コードが導出されている片出し形式のヘッドホンにおいて、
前記２平行コードは長短２本の平行コードが一体になっており、
短い方の平行コードの端部を前記プラグ付き２平行コードが導出されている前記左右のスピーカの一方に接続し、
長い方の平行コードの端部を直接前記左右のスピーカの他方に接続し、
前記短い方の平行コードは、前記長い方の平行コードより、引っ張り及び屈曲に対し強度が大きいこと特徴とするヘッドホン。
【請求項２】
請求項１記載のヘッドホンで、
ヘッドバンドをさらに備え、
前記長い方の平行コードは前記ヘッドバンドを経由させて前記左右のスピーカの他方に接続させることを特徴とするヘッドホン。
【請求項３】
左右のスピーカとこれら左右のスピーカのいずれか一方のスピーカからのみプラグ付き２平行コードが導出されている片出し形式のヘッドホンにおいて、
前記２平行コードは長短２本の平行コードが一体になっており、
短い方の平行コードの端部を前記プラグ付き２平行コードが導出されている前記左右のスピーカの一方に接続し、
長い方の平行コードの端部を直接前記左右のスピーカの他方に接続し、
前記長短２本の平行コードのうち短い方の平行コードの被覆の太さが長い方の平行コードの被覆の太さより太いことを特徴とするヘッドホン。
【請求項４】
請求項３記載のヘッドホンで、
ヘッドバンドをさらに備え、
前記長い方の平行コードは前記ヘッドバンドを経由させて前記左右のスピーカの他方に接続させることを特徴とするヘッドホン。
【請求項５】
ヘッドホンに用いられる２平行コードにおいて
前記２平行コードは長短２本の平行コードが一体になっており、
短い方の平行コードの端部を２平行コードが導出されている左右のスピーカの一方に接続し、
長い方の平行コードの端部を直接前記左右のスピーカの他方に接続し、
前記長短２本の平行コードの内短い方の平行コードの被覆の太さが長い方の平行コードの被覆の太さより太いことを特徴とする２平行コード。
【発明の詳細な説明】
【０００１】
【発明の属する技術分野】
本発明は、プラグ付き２平行コードが片耳側からのみ導出されているヘッドホンに関し、特にそのプラグ付き２平行コードに関するものである。
【０００２】
【従来の技術】
先ず、図３乃至図８を用いて、従来技術のステレオヘッドホンの構造について説明する。
図３は一般的なステレオヘッドホンの回路図、図４は従来技術の第１のステレオヘッドホンの構造を略線的に示した背面図、図５は図４に示したステレオヘッドホンを頭に装着した状態を示す略線図、図６は従来技術の第２のステレオヘッドホンの構造を略線的に示した背面図、図７は図６に示したステレオヘッドホンを頭に装着した状態を示す略線図、そして図８は従来技術のステレオヘッドホンに用いられている従来技術の２平行コードを示す断面図である。
【０００３】
先ず、図３を用いて、一般的なステレオヘッドホンの回路を説明する。通常、左側のスピーカＬspと右側のスピーカＲspとからなるステレオヘッドホンの結線構成としては、それぞれのスピーカＬsp、Ｒspに平行コードＬｗ、Ｒｗの２芯線の一端を接続し、２芯線の他端をプラグＰのそれぞれの左側端子Ｌｔとグランド端子Ｇｔ及び右側端子Ｒｔと前記グランド端子Ｇｔとに接続した構成が採られている。
【０００４】
このような回路結線は図４に示した従来技術の第１の形態のステレオヘッドホン１０にも、図６に示した従来技術の第２の形態のステレオヘッドホン２０にも採用されている。
図４に示した従来技術の第１の形態のステレオヘッドホン１０は、通常、ローエンドのステレオヘッドホンであって、コストの面から、通常、左側スピーカＬspと右側スピーカＲspとから平行コードＬｗ、Ｒｗがそれぞれ導出されている構造が採られている。その平行コードＬｗの信号線は左側スピーカＬspのＬ端子に、そのグランド線はグランド端子に半田付けされており、そして平行コードＲｗの信号線は右側スピーカＲspのＲ端子に、そのグランド線はグランド端子に半田付けされている。
このような構造のステレオヘッドホン１０は、図５に示したように、両左側スピーカＬspと右側スピーカＲspとが連結部材であるヘッドバンドＨＢなどにより連結されており、これを頭Ｈに装着する時、或いはこの装着状態から外す時は、あたかもペンダントを頭の上に掛け外しするような動作が必要であった。
【０００５】
このようにコードが両方のスピーカから導出されている両出し形式のステレオヘッドホン１０はヘッドＨへの装着、着脱動作が厄介であるという課題がある。この課題を解決したものに、図６及び図７に示したような、コードを片方のスピーカのみから導出した片出し形式のステレオヘッドホン２０がある。このステレオヘッドホン２０は両出し形式のステレオヘッドホン１０に比し、頭Ｈへの装着、着脱動作が容易で、使用中、コードが垂れ下がっていることへの違和感は少ない。
【０００６】
【発明が解決しようとする課題】
しかし、前記ステレオヘッドホン２０は、そのコードの接続構成として、ヘッドバンドＨＢなどを経由して一方のスピーカから他方のスピーカへ、図示の例では左側スピーカＬspから右側スピーカＲspへ接続する、所謂、渡りコードＨｗの半田付けが２ヶ所、中継接続が１ヶ所は必要で、最小７ヶ所は必要であった。
このため、片出し形式のステレオヘッドホン２０は両出し形式のステレオヘッドホン１０に比べ、高付加価値のものに用いられてきた。
また、一般に、２平行コードＬｗ、Ｒｗは、図８に示したように、それらの芯線導体も被覆も同じ太さのものが用いられている。
しかし、前記渡りコードＨｗは、機構、外観の両面から太さが細いことが求められ、更にまた、スピーカからプラグＰまでのコードは引っ張りや屈曲に対して強度が必要とされる他、外観との釣り合いから或る程度の太さが要求される。
【０００７】
本発明はこれらの課題を解決しようとするものであって、信頼性が高く、しかし安価なヘッドホン及びこれに用いて好適な平行コードを得ることを目的とするものである。
【０００８】
【課題を解決するための手段】
このため、本発明の請求項１及び２の発明では、ヘッドホンを、左右のスピーカとこれら左右のスピーカのいずれか一方のスピーカのみからプラグ付き２平行コードを導出するように構成し、前記コードとして長短２本の平行コードを用い、短い方の平行コードを前記プラグ付きコードが導出されている前記スピーカに接続し、前記長い方の平行コードを直接他方のスピーカに接続し、これら両平行コードの他の共通先端部にプラグを接続した構造で構成すると共に、短い方の並行コードの引っ張り及び屈曲に対する強度を、長い方の平行コードの強度より大きくする事により、前記課題を解決している。
【０００９】
また、本発明の請求項３及び４発明では、前記ステレオヘッドホンにおいて、前記長短２本の平行コードとして芯線の被覆の太さが異なるコードを用い、それら長短２本の平行コードの内、短い方の平行コードに被覆の太さが太いコードを用い、長い平行コードに被覆の太さが細いコードを用いて、前記課題を解決している。
【００１０】
更にまた、本発明の請求項５の発明では、ステレオヘッドホンに用いて好適な２平行コードとして、２本の平行コードがそれらの長手方向の所定の長さにわたって互いに結合されており、それら２本の平行コードの各芯線を覆う被覆の太さを異ならせた構造で構成し、前記課題を解決している。
【００１１】
従って、本発明のオヘッドホンは、半田付け箇所が最小の４ヶ所まで削減でき、それだけ不良発生率を低減でき、信頼性を向上させることができる。また、本発明の平行コードは断線し難く、この点からも信頼性を向上させることができる。
【００１２】
【発明の実施の形態】
以下、本発明をステレオヘッドホンに実施した形態を図を用いて説明する。
図１は本発明を実施したステレオヘッドホンの構造を略線的に示した背面図であり、そして図２は本発明のステレオヘッドホンに用いて好適な本発明の２平行コードを示す断面図である。
なお、本発明を実施したステレオヘッドホンにおいて、従来技術のステレオヘッドホンの構成部分と同一の構成部分には同一の符号を付して説明する。
【００１３】
図１において、符号１は本発明の実施形態のステレオヘッドホンを指す。このステレオヘッドホン１は片出し形式のものであって、左側スピーカＬspと右側スピーカＲspとが渡りコードである平行コードＲｗで連結されており、そして左側スピーカＬspからプラグＰ付きの２平行コードＷが導出されている。
【００１４】
前記２平行コードＷは長短２本の平行コードからなり、短い方の平行コードＬｗは、その信号線を前記左側スピーカＬspのＬ端子に、グランド線をＧ端子に半田付け、接続し、前記長い方の平行コードＲｗを左側スピーカＬspにおいて半田付け、中継されることなく、直接右側スピーカＲspに、その信号線をＲ端子に、そのグランド線をＧ端子に半田付け、接続している。そして両平行コードＬｗ、Ｒｗの他の共通先端部にプラグＰを接続している。
従って、このような構造を採ることで、本発明のステレオヘッドホン１は片出し形式の構造を実現でき、半田付け箇所を最小の４ヶ所まで削減できる。
【００１５】
また、プラグ付きコードとしては、コードの引っ張り強さや屈曲断線に対する強度が必要な他、外観との釣り合いから或る程度の太さが必要とされている。
このような要求を満たすコードとして、図２に本発明の実施形態の２平行コードＷを示した。この２平行コードＷは２本の平行コードＬｗ、Ｒｗが互いに結合された構造のものであって、それぞれの芯線導体Ｃｏの太さは同一であるが、それぞれの芯線導体Ｃｏを覆う被覆の太さが異なっている。太い方の被覆をＣｃ−１、細い方の被覆をＣｃ−２として符号付けした。
【００１６】
図１に示した前記ステレオヘッドホン１の２平行コードＷに図２に示した本発明の２平行コードＷを適用する場合には、前記短い平行コードＬｗに太い被覆Ｃｃ−１のコードを、前記長い平行コードＲｗに細い被覆Ｃｃ−２のコードを用い、太い被覆Ｃｃ−１のコードの信号線を左側スピーカＬspのＬ端子に、グランド線をＧ端子に、同様に細い被覆Ｃｃ−２のコードの信号線を右側スピーカＲspのＲ端子に、グランド線をＧ端子に直接半田付けする。これらの平行コードＬｗ、ＲｗはプラグＰが接続されている先端部から左側スピーカＬspの所まで互いに結合されている。
【００１７】
このように、２平行コードＷの太さを異ならせ、細い方の平行コードＲｗをヘッドバンドなどに経由させて、２平行コードＷが導出されていない方のスピーカに、実施形態では右側スピーカＲspに用い、太い方の平行コードＬｗを引っ張りや屈曲に対して強度が必要で、外観上も或る程度の太さが必要な側のスピーカに、実施形態では左側スピーカＬspに用いた。
なお、コードをヘッドバンドなどを経由させる場合は、そのコードの太さが太いとヘッドバンドの溝などを広くする必要が生じ、装着側圧との関係などからも制約があるため、経由させるコードの太さは細い方が設計、デザインの自由度も上がり、好ましいものである。
【００１８】
【発明の効果】
以上の説明から明らかなように、本発明のヘッドホンによれば、半田付け箇所を最小の４ヶ所まで削減でき、それだけコストの削減、更に不良発生率の低減による歩留り及び信頼性の向上を計ることができる。このため従来のローエンドのコード両出し形式のヘッドホンの価格帯にまで片出し形式のヘッドホンを投入できるようになった。
また、細い方の平行コードを連結部材のヘッドバンドなどを経由させることで、ヘッドバンドには特別の制約を与えず、太い方の平行コードがコードの引っ張りや屈曲の強度を保持する他、外観を損ねないヘッドホンが得られた。
【図面の簡単な説明】
【図１】  本発明を実施したステレオヘッドホンの構造を示す略線図である。
【図２】  本発明のヘッドホンに用いて好適な本発明の２平行コードを示す断面図である。
【図３】  一般的なステレオヘッドホンの回路図である。
【図４】  従来技術の第１のステレオヘッドホンの構造を略線的に示した背面図である。
【図５】  図４に示したステレオヘッドホンを頭に装着した状態を示す略線図である。
【図６】  従来技術の第２のステレオヘッドホンの構造を略線的に示した背面図である。
【図７】  図６に示したステレオヘッドホンを頭に装着した状態を示す略線図である。
【図８】  従来技術のステレオヘッドホンに用いられている従来技術の２平行コードを示す断面図である。
【符号の説明】
１…本発明の実施形態のステレオヘッドホン、Ｌsp…左側スピーカ、Ｒsp…右側スピーカ、Ｌｗ，Ｒｗ…平行コード、Ｈｗ…渡りコード、Ｃｃ−１…太い被覆、Ｃｃ−２…細い被覆、Ｃｏ…芯線導体、Ｗ…本発明の実施形態の２平行コード
Ｐ…プラグ、ＨＢ…ヘッドバンド
【図１】
0004026213.tif 000002
【図２】
0004026213.tif 000003
【図３】
0004026213.tif 000004
【図４】
0004026213.tif 000005
【図５】
0004026213.tif 000006
【図６】
0004026213.tif 000007
【図７】
0004026213.tif 000008
【図８】
0004026213.tif 000009